(57)【要約】  基地局とユーザ装置との間で通信を行う無線通信システムにおけるユーザ装置であって、前記基地局から、複数のキャリアの各々で行われる通信に関する情報を受信する第一の受信部と、前記複数のキャリアの各々で行われる通信に関する情報に基づいて、前記複数のキャリアのうち当該ユーザ装置で受信すべきキャリアを選択する選択部と、前記選択部で選択されたキャリアで所定の通信を受信する第二の受信部と、を有するユーザ装置を提供する。
2017135428.tif 000002
【特許請求の範囲】
【請求項１】
基地局とユーザ装置との間で通信を行う無線通信システムにおけるユーザ装置であって、
前記基地局から、複数のキャリアの各々で行われる通信に関する情報を受信する第一の受信部と、
前記複数のキャリアの各々で行われる通信に関する情報に基づいて、前記複数のキャリアのうち当該ユーザ装置で受信すべきキャリアを選択する選択部と、
前記選択部で選択されたキャリアで所定の通信を受信する第二の受信部と、
を有するユーザ装置。
【請求項２】
前記第一の受信部は、下りリンクに用いられるキャリアを介して、前記複数のキャリアの各々で行われる通信に関する情報を受信し、
前記複数のキャリアは、Ｄ２Ｄ通信に用いられるキャリアである、
請求項１に記載のユーザ装置。
【請求項３】
前記複数のキャリアの各々で行われる通信に関する情報には、前記複数のキャリアの各々でＤ２Ｄ信号が送信される無線リソースを示す情報、該Ｄ２Ｄ信号を送信する端末に関する情報、及び、該Ｄ２Ｄ信号に対応するサービスを示す情報のうち少なくとも１つ以上を含む、請求項２に記載のユーザ装置。
【請求項４】
前記複数のキャリアの各々で行われる通信に関する情報は、下り制御情報、ＲＲＣメッセージ又はＮＡＳメッセージに含まれる、請求項１又は２に記載のユーザ装置。
【請求項５】
基地局とユーザ装置との間で通信を行う無線通信システムにおけるユーザ装置であって、
前記基地局から、複数のキャリアのうち特定のキャリアに設定される時間方向の所定の期間を示す情報を受信する第一の受信部と、
前記複数のキャリアのうち、前記時間方向の所定の期間では、前記複数のキャリアのうち、前記時間方向の所定の期間が設定される特定のキャリア以外のキャリアを選択する選択部と、
前記選択部で選択されたキャリアで所定の通信を受信する第二の受信部と、
を有するユーザ装置。
【請求項６】
前記第一の受信部は、下りリンクに用いられるキャリアを介して、前記複数のキャリアのうち特定のキャリアに設定される時間方向の所定の期間を示す情報を受信し、
前記特定のキャリアは、Ｄ２Ｄ通信に用いられるキャリアである、
請求項５に記載のユーザ装置。
【請求項７】
前記特定のキャリアに設定される時間方向の所定の期間を示す情報には、所定の周期で前記特定のキャリアを監視すべき期間を示す情報を含み、
前記第二の受信部は、前記特定のキャリアを監視すべき期間では、前記特定のキャリアで制御情報が送信されているか否かの監視、又は、前記特定のキャリアにおける受信電力が所定の閾値以上であるか否かの監視を行い、
前記選択部は、前記第二の受信部で、前記特定のキャリアで制御情報が送信されていると判断された場合、又は、前記特定のキャリアにおける受信電力が所定の閾値以上であると判断された場合に、前記時間方向の所定の期間が設定される特定のキャリア以外のキャリアに代えて、前記特定のキャリアで所定の通信を受信するように前記第二の受信部に指示する、
請求項６に記載のユーザ装置。
【請求項８】
基地局とユーザ装置との間で通信を行う無線通信システムにおけるユーザ装置が実行する受信方法であって、
前記基地局から、複数のキャリアの各々で行われる通信に関する情報を受信するステップと、
前記複数のキャリアの各々で行われる通信に関する情報に基づいて、前記複数のキャリアのうち当該ユーザ装置で受信すべきキャリアを選択するステップと、
選択されたキャリアで所定の通信を受信するステップと、
を有する受信方法。
【請求項９】
基地局とユーザ装置との間で通信を行う無線通信システムにおけるユーザ装置が実行する受信方法であって、
前記基地局から、複数のキャリアのうち特定のキャリアに設定される時間方向の所定の期間を示す情報を受信するステップと、
前記複数のキャリアのうち、前記時間方向の所定の期間では、前記複数のキャリアのうち、前記時間方向の所定の期間が設定される特定のキャリア以外のキャリアを選択するステップと、
選択されたキャリアで所定の通信を受信するステップと、
を有する受信方法。
【発明の詳細な説明】
【技術分野】
【０００１】
本発明は、ユーザ装置及び受信方法に関する。
【背景技術】
【０００２】
ＬＴＥ（Long Term Evolution）やＬＴＥの後継システム（例えば、ＬＴＥ−Ａ（LTE Advanced）、４Ｇ、ＦＲＡ（Future Radio Access）などともいう）では、ユーザ装置同士が無線基地局を介さないで直接通信を行うＤ２Ｄ（Device to Device）技術が検討されている（例えば、非特許文献１）。【０００３】
Ｄ２Ｄは、ユーザ装置と基地局との間のトラヒックを軽減したり、災害時などに基地局が通信不能になった場合でもユーザ装置間の通信を可能とする。【０００４】
Ｄ２Ｄは、通信可能な他のユーザ装置を見つけ出すためのＤ２Ｄディスカバリ（D2D discovery、Ｄ２Ｄ発見ともいう）と、ユーザ装置間で直接通信するためのＤ２Ｄコミュニケーション（D2D direct communication、Ｄ２Ｄ通信、端末間直接通信などともいう）と、に大別される。以下では、Ｄ２Ｄコミュニケーション、Ｄ２Ｄディスカバリなどを特に区別しないときは、単にＤ２Ｄと呼ぶ。また、Ｄ２Ｄで送受信される信号を、Ｄ２Ｄ信号と呼ぶ。【０００５】
また、３ＧＰＰ（3rd Generation Partnership Project）では、Ｄ２Ｄ機能を拡張することでＶ２Ｘを実現することが検討されている。ここで、Ｖ２Ｘとは、ＩＴＳ（Intelligent Transport Systems）の一部であり、図１に示すように、自動車間で行われる通信形態を意味するＶ２Ｖ（Vehicle to Vehicle）、自動車と道路脇に設置される路側機（ＲＳＵ：Road-Side Unit）との間で行われる通信形態を意味するＶ２Ｉ（Vehicle to Infrastructure）、自動車とドライバーのモバイル端末との間で行われる通信形態を意味するＶ２Ｎ（Vehicle to Nomadic device）、及び、自動車と歩行者のモバイル端末との間で行われる通信形態を意味するＶ２Ｐ（Vehicle to Pedestrian）の総称である。
【先行技術文献】
【非特許文献】
【０００６】
【非特許文献１】"Key drivers for LTE success:Services Evolution"、２０１１年９月、3GPP、インターネットURL：http://www.3gpp.org/ftp/Information/presentations/presentations_2011/2011_09_LTE_Asia/2011_LTE-Asia_3GPP_Service_evolution.pdf
【非特許文献２】３ＧＰＰ  ＴＳ３６．３００  Ｖ１３．２．０（２０１５−１２）
【発明の概要】
【発明が解決しようとする課題】
【０００７】
現在、Ｖ２Ｘでは多様なサービスが検討されている。例えば、車載の端末から、交差点に設置されたＲＳＵに現在速度を通知すると、信号で停止せずに通過することができる速度が通知されるようなサービスなどが検討されている。また、リアルタイムで道路情報（広域の渋滞情報、区間毎の所要時間など）を車載器に通知するＥＴＣ２．０と呼ばれるサービスが提供されているが、これもＶ２Ｘで提供されるサービスの一種であると言える。【０００８】
このような多様なサービスをＤ２Ｄ通信で実現しようとする場合、全てのサービスに対応するＤ２Ｄ通信を１つのキャリア（周波数バンド）に収容することは困難であることから、将来的には、Ｖ２Ｘ専用の複数のキャリアを割当てることでＶ２Ｘの提供が行われると想定される。【０００９】
一般的に、複数のキャリアを同時に受信可能な能力を有するユーザ装置は高コストである。従って、Ｖ２Ｘで利用される全てのユーザ装置が、必ずしも全てのキャリアを同時に受信可能な能力を有しているとは限らないと想定される。例えば、図２に示すように、３つのキャリアでＶ２Ｘが提供されているにも関わらず、ユーザ装置は２つのキャリアしか同時に受信可能な能力を有していないことが想定される。【００１０】
また、利用者によっては、必ずしもＶ２Ｘで提供される全てのサービスの利用を希望するとは限らない。例えば、安価なユーザ装置（車載器）を用いて限られたサービスのみを受けることができればよいと考える利用者も多いと想定される。
しかしながら、現在のＤ２Ｄでは、通信に用いるキャリアを適切に切替えることが可能な技術は提供されていないため、上述の課題を解決することができない。また、受信のみならず、送信についても同様の問題が発生し得る。【００１１】
開示の技術は上記に鑑みてなされたものであって、ユーザ装置で通信に用いるキャリアを適切に切替えることが可能な技術を提供することを目的とする。
【課題を解決するための手段】
【００１２】
開示の技術のユーザ装置は、基地局とユーザ装置との間で通信を行う無線通信システムにおけるユーザ装置であって、前記基地局から、複数のキャリアの各々で行われる通信に関する情報を受信する第一の受信部と、前記複数のキャリアの各々で行われる通信に関する情報に基づいて、前記複数のキャリアのうち当該ユーザ装置で受信すべきキャリアを選択する選択部と、前記選択部で選択されたキャリアで所定の通信を受信する第二の受信部と、を有する。
【発明の効果】
【００１３】
開示の技術によれば、ユーザ装置で通信に用いるキャリアを適切に切替えることが可能な技術が提供される。
【図面の簡単な説明】
【００１４】
【図１】Ｖ２Ｘを説明するための図である。
【図２】課題を説明するための図である。
【図３】Ｄ２Ｄを説明するための図である。
【図４】Ｄ２Ｄ通信に用いられるＭＡＣ  ＰＤＵを説明するための図である。
【図５】ＳＬ−ＳＣＨ  ｓｕｂｈｅａｄｅｒのフォーマットを説明するための図である。
【図６】Ｄ２Ｄで使用されるチャネル構造の例を説明するための図である。
【図７】ＰＳＤＣＨの構造例を示す図である。
【図８】ＰＳＣＣＨとＰＳＳＣＨの構造例を示す図である。
【図９】リソースプールコンフィギュレーションを示す図である。
【図１０】各実施の形態に係る無線通信システムの構成例を示す図である。
【図１１】第一の実施の形態に係るキャリアの切替えに係る処理手順の一例を示すシーケンス図である。
【図１２】Ｄ２Ｄ通信情報の一例を示す図である。
【図１３】基地局でＤ２Ｄ通信に関する情報を収集する際の処理手順（その１）の一例を示すシーケンス図である。
【図１４】基地局でＤ２Ｄ通信に関する情報を収集する際の処理手順（その２）の一例を示すシーケンス図である。
【図１５】第一の実施の形態に係るキャリアの切替えに係る処理手順（変形例）を示すシーケンス図である。
【図１６】Ｄ２ＤキャリアにＤＲＸが設定される場合を示す図である。
【図１７】Ｄ２Ｄキャリアにギャップ期間が設定される場合を示す図である。
【図１８】セルラ用キャリアにＤＲＸが設定される場合を示す図である。
【図１９】セルラ用キャリアにギャップ期間が設定される場合を示す図である。
【図２０】第二の実施の形態を用いた運用例を示す図である。
【図２１】各実施の形態に係るユーザ装置の機能構成の一例を示す図である。
【図２２】各実施の形態に係る基地局の機能構成の一例を示す図である。
【図２３】各実施の形態に係るユーザ装置のハードウェア構成の一例を示す図である。
【図２４】各実施の形態に係る基地局のハードウェア構成の一例を示す図である。
【発明を実施するための形態】
【００１５】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１６】
また、本実施の形態は、主にＶ２Ｘを対象としているが、本実施の形態に係る技術は、Ｖ２Ｘに限らず、広くＤ２Ｄ全般に適用可能である。また、「Ｄ２Ｄ」はその意味としてＶ２Ｘを含むものである。
【００１７】
また、「Ｄ２Ｄ」は、ユーザ装置ＵＥ間でＤ２Ｄ信号を送受信する処理手順のみならず、Ｄ２Ｄ信号を基地局が受信（モニタ）する処理手順、及び、ＲＲＣ  Ｉｄｌｅの場合若しくは基地局ｅＮＢとコネクションを確立していない場合に、ユーザ装置ＵＥが基地局ｅＮＢに上り信号を送信する処理手順を含む広い意味で使用する。
【００１８】
以下で説明する実施の形態は、セルラ通信用のキャリア及びＤ２Ｄ用のキャリアを含む無線通信システムに適用される前提で説明するが、これに限られない。例えば、以下の実施の形態は、セルラ通信用のキャリアのみを含む無線通信システムにも適用することが可能である。
【００１９】
＜Ｄ２Ｄの概要＞
ＬＴＥで規定されているＤ２Ｄの概要について説明する。なお、Ｖ２Ｘにおいても、ここで説明するＤ２Ｄの技術を使用することは可能であり、本発明の実施の形態におけるＵＥは、当該技術によるＤ２Ｄ信号の送受信を行うことができる。
【００２０】
既に説明したように、Ｄ２Ｄには、大きく分けて「Ｄ２Ｄディスカバリ」と「Ｄ２Ｄコミュニケーション」がある。「Ｄ２Ｄディスカバリ」については、図３（ａ）に示すように、Ｄｉｓｃｏｖｅｒｙ  ｐｅｒｉｏｄ毎に、Ｄｉｓｃｏｖｅｒｙメッセージ用のリソースプールが確保され、ＵＥはそのリソースプール内でＤｉｓｃｏｖｅｒｙメッセージを送信する。より詳細にはＴｙｐｅ１、Ｔｙｐｅ２ｂがある。Ｔｙｐｅ１では、ＵＥが自律的にリソースプールから送信リソースを選択する。Ｔｙｐｅ２ｂでは、上位レイヤシグナリング（例えばＲＲＣ信号）により準静的なリソースが割り当てられる。
【００２１】
「Ｄ２Ｄコミュニケーション」についても、図３（ｂ）に示すように、ＳＣＩ／データ送信用のリソースプールが周期的に確保される。送信側のＵＥはＣｏｎｔｒｏｌリソースプール（ＳＣＩ送信用リソースプール）から選択されたリソースでＳＣＩによりデータ送信用リソース等を受信側に通知し、当該データ送信用リソースでデータを送信する。「Ｄ２Ｄコミュニケーション」について、より詳細には、Ｍｏｄｅ１とＭｏｄｅ２がある。Ｍｏｄｅ１では、ｅＮＢからＵＥに送られる（Ｅ）ＰＤＣＣＨによりダイナミックにリソースが割り当てられる。Ｍｏｄｅ２では、ＵＥはリソースプールから自律的に送信リソースを選択する。リソースプールについては、ＳＩＢで通知されたり、予め定義されたものが使用される。
【００２２】
ＬＴＥにおいて、「Ｄ２Ｄディスカバリ」に用いられるチャネルはＰＳＤＣＨ（Physical Sidelink Discovery Channel）と称され、「Ｄ２Ｄコミュニケーション」におけるＳＣＩ等の制御情報を送信するチャネルはＰＳＣＣＨ（Physical Sidelink Control Channel）と称され、データを送信するチャネルはＰＳＳＣＨ（Physical Sidelink Shared Channel）と称される（非特許文献２）。
【００２３】
Ｄ２Ｄ通信に用いられるＭＡＣ（Medium Access Control）ＰＤＵ（Protocol Data Unit）は、図４に示すように、少なくともＭＡＣ  ｈｅａｄｅｒ、ＭＡＣ  Ｃｏｎｔｒｏｌ  ｅｌｅｍｅｎｔ、ＭＡＣ  ＳＤＵ（Service Data Unit）、Ｐａｄｄｉｎｇで構成される。ＭＡＣ  ＰＤＵはその他の情報を含んでも良い。ＭＡＣ  ｈｅａｄｅｒは、１つのＳＬ−ＳＣＨ（Sidelink Shared Channel）ｓｕｂｈｅａｄｅｒと、１つ以上のＭＡＣ  ＰＤＵ  ｓｕｂｈｅａｄｅｒで構成される。
【００２４】
図５に示すように、ＳＬ−ＳＣＨ  ｓｕｂｈｅａｄｅｒは、ＭＡＣ  ＰＤＵフォーマットバージョン（Ｖ）、送信元情報（ＳＲＣ）、送信先情報（ＤＳＴ）、Ｒｅｓｅｒｖｅｄ  ｂｉｔ（Ｒ）等で構成される。Ｖは、ＳＬ−ＳＣＨ  ｓｕｂｈｅａｄｅｒの先頭に割り当てられ、ＵＥが用いるＭＡＣ  ＰＤＵフォーマットバージョンを示す。送信元情報には、送信元に関する情報が設定される。送信元情報には、ＰｒｏＳｅ  ＵＥ  ＩＤに関する識別子が設定されてもよい。送信先情報には、送信先に関する情報が設定される。送信先情報には、送信先のＰｒｏＳｅ  Ｌａｙｅｒ−２  Ｇｒｏｕｐ  ＩＤに関する情報が設定されてもよい。
【００２５】
Ｄ２Ｄのチャネル構造の例を図６に示す。図６に示すように、「Ｄ２Ｄコミュニケーション」に使用されるＰＳＣＣＨのリソースプール及びＰＳＳＣＨのリソースプールが割り当てられている。また、「Ｄ２Ｄコミュニケーション」のチャネルの周期よりも長い周期で「Ｄ２Ｄディスカバリ」に使用されるＰＳＤＣＨのリソースプールが割り当てられている。
【００２６】
また、Ｄ２Ｄ用の同期信号としてＰＳＳＳ（Primary Sidelink Synchronization signal）とＳＳＳＳ（Secondary Sidelink Synchronization signal）が用いられる。また、例えばカバレッジ外動作のためにＤ２Ｄのシステム帯域、フレーム番号、リソース構成情報等の報知情報（broadcast information）を送信するＰＳＢＣＨ（Physical Sidelink Broadcast Channel）が用いられる。
【００２７】
図７（ａ）に、「Ｄ２Ｄディスカバリ」に使用されるＰＳＤＣＨのリソースプールの例を示す。リソースプールは、サブフレームのビットマップで設定されるため、図７（ａ）に示すようなイメージのリソースプールになる。他のチャネルのリソースプールも同様である。また、ＰＳＤＣＨは、周波数ホッピングしながら繰り返し送信（ｒｅｐｅｔｉｔｉｏｎ）がなされる。繰り返し回数は例えば０〜４で設定可能である。また、図７（ｂ）に示すように、ＰＳＤＣＨはＰＵＳＣＨベースの構造を有し、ＤＭ−ＲＳ（demodulation reference signal）が挿入される構造になっている。
【００２８】
図８（ａ）に、「Ｄ２Ｄコミュニケーション」に使用されるＰＳＣＣＨとＰＳＳＣＨのリソースプールの例を示す。図８（ａ）に示すとおり、ＰＳＣＣＨは、周波数ホッピングしながら１回繰り返し送信（ｒｅｐｅｔｉｔｉｏｎ）がなされる。ＰＳＳＣＨは、周波数ホッピングしながら３回繰り返し送信（ｒｅｐｅｔｉｔｉｏｎ）がなされる。また、図８（ｂ）に示すように、ＰＳＣＣＨとＰＳＳＣＨはＰＵＳＣＨベースの構造を有し、ＤＭＲＳが挿入される構造になっている。
【００２９】
図９に、ＰＳＣＣＨ、ＰＳＤＣＨ、ＰＳＳＣＨ（Ｍｏｄｅ２）におけるリソースプールコンフィギュレーションの例を示す。図９（ａ）に示すように、時間方向では、リソースプールはサブフレームビットマップとして表される。また、ビットマップは、ｎｕｍ．ｒｅｐｒｔｉｔｉｏｎの回数だけ繰り返される。また、各周期における開始位置を示すｏｆｆｓｅｔが指定される。
【００３０】
周波数方向では、連続割り当て（ｃｏｎｔｉｇｕｏｕｓ）と不連続割り当て（ｎｏｎ−ｃｏｎｔｉｇｕｏｕｓ）が可能である。図９（ｂ）は、不連続割り当ての例を示しており、図示のとおり、開始ＰＲＢ、終了ＰＲＢ、ＰＲＢ数（ｎｕｍＰＲＢ）が指定される。
【００３１】
＜システム構成＞
図１０は、各実施の形態に係る無線通信システムの構成例を示す図である。図１０に示すように、本実施の形態に係る無線通信システムは、交換機ＭＭＥと、基地局ｅＮＢと、ユーザ装置ＵＥ１〜ＵＥ３とを有する。図１０において、ユーザ装置ＵＥ１及びユーザ装置ＵＥ２が送信側、ユーザ装置ＵＥ３が受信側として示されているが、ユーザ装置ＵＥ１〜ＵＥ３はいずれも同一の機能を備えている。以下、ユーザ装置ＵＥ１〜ＵＥ３を特に区別しない場合、単に「ユーザ装置ＵＥ」と記述する。
【００３２】
ユーザ装置ＵＥは、セルラ通信機能及びＤ２Ｄ通信を行う機能を有している。また、ユーザ装置ＵＥは、複数のキャリアを受信（モニタ）する機能を有している。ユーザ装置ＵＥは、Ｄ２Ｄの機能を有するいかなる装置であってもよいが、例えば、ユーザ装置ＵＥは、車両、歩行者が保持する端末、ＲＳＵ（ＵＥの機能を有するＵＥタイプＲＳＵ）等である。
【００３３】
基地局ｅＮＢは、ＬＴＥにおける基地局ｅＮＢとしてのセルラ通信の機能、及び、本実施の形態におけるユーザ装置ＵＥの通信を可能ならしめるための機能（リソース割当ての機能、設定情報通知機能等）を有している。基地局ｅＮＢは、セルラ通信機能に加えて、Ｄ２Ｄ信号をモニタする機能を有していてもよい。基地局ｅＮＢにはＲＳＵ（ｅＮＢの機能を有するｅＮＢタイプＲＳＵ）を含む。
【００３４】
交換機ＭＭＥは、基地局ｅＮＢと接続され、基地局ｅＮＢを介してユーザ装置ＵＥとの間で所定のシグナリングメッセージ（ＮＡＳ（Non Access Stratum）メッセージ等）の送受信を行う。
【００３５】
本実施の形態に係る無線通信システムは、１つのセルラ通信用のキャリア（以下、「セルラ用キャリア」と呼ぶ）と、２つのＤ２Ｄ通信用のキャリア（以下、「Ｄ２Ｄキャリア１」、「Ｄ２Ｄキャリア２」と呼ぶ）とを有している。「Ｄ２Ｄキャリア１」と「Ｄ２Ｄキャリア２」とを区別しない場合は、単に「Ｄ２Ｄキャリア」と呼ぶ。図１０では、１つのセルラ用キャリアと、２つのＤ２Ｄキャリアとが示されているが、本実施の形態は、２以上のセルラ用キャリアを有していてもよいし、３つ以上のＤ２Ｄキャリアを有していてもよい。
【００３６】
セルラ用キャリア／Ｄ２Ｄキャリアは、ＦＤＤ（Frequency Division Duplex）方式のキャリアでもよいし、ＴＤＤ（Time Division Duplex）方式のキャリアでもよい。なお、本実施の形態におけるキャリアとは、バンドやセルを含む広い意味で用いており、バンド内の中心周波数であるキャリア周波数のことを意図しているのではない。
【００３７】
本実施の形態に係るユーザ装置ＵＥは、複数の送受信機を備え、複数の送受信機の各々で複数のキャリアで同時に通信する機能を有している前提とする。また、無線通信システム内に存在する複数のキャリアの数より少ない数の送受信機を有している前提とする。例えば、図１０ではセルラ用キャリア、Ｄ２Ｄキャリア１及びＤ２Ｄキャリア２が示されているが、少なくとも受信側のユーザ装置ＵＥ３は、２つの送受信機のみを備え、同時に２つのキャリアのみで同時に通信する機能のみを有している前提とする。
【００３８】
以下、本実施の形態に係る無線通信システムが行う処理手順について、第一の実施の形態及び第二の実施の形態に分けて説明する。また、以下の説明では、主に受信側のユーザ装置ＵＥがＤ２Ｄ信号の受信に用いるキャリアを選択する動作を例に説明するが、受信側のユーザ装置ＵＥは、選択したキャリアでＤ２Ｄ信号を送信することも可能である。
【００３９】
＜第一の実施の形態＞
（概要）
第一の実施の形態では、受信側のユーザ装置ＵＥ３は、１つの送受信機を用いてセルラ用キャリアで通信を行い、複数のＤ２Ｄキャリアのうち、残りの送受信機で受信可能な数のキャリアを選択して通信するように動作する。また、受信側のユーザ装置ＵＥ３は、セルラ用キャリアを介して、複数のＤ２Ｄキャリアの各々で行われるＤ２Ｄ通信に関する情報（以下、「Ｄ２Ｄ通信情報」と呼ぶ）を取得し、取得した情報に基づいて、複数のＤ２Ｄキャリアのうちどのキャリアで通信すべきかを選択するように動作する。
【００４０】
（キャリア切替え処理について）
図１１は、第一の実施の形態に係るキャリアの切替えに係る処理手順の一例を示すシーケンス図である。具体的には後述するが、本実施の形態では、基地局ｅＮＢは、各Ｄ２ＤキャリアでどのようなＤ２Ｄ通信（Ｖ２Ｘの通信）が行われるのかを予め把握するように動作する。図１１の例では、送信側のユーザ装置ＵＥ１又はＵＥ２がＤ２Ｄキャリア２でＶ２Ｘデータを送信する予定であり、そのことを基地局ｅＮＢは予め把握していると仮定する。Ｖ２Ｘデータはどのような情報であってもよいが、例えば、渋滞情報など、所定のＶ２Ｘサービスに用いられるデータである。
【００４１】
基地局ｅＮＢは、自身が把握している、各Ｄ２Ｄキャリアで行われるＤ２Ｄ通信の内容に基づいてＤ２Ｄ通信情報を生成し、生成したＤ２Ｄ通信情報を、セルラ用キャリアを介してユーザ装置ＵＥ３に送信する（Ｓ１１）。具体的な送信方法については後述する。なお、Ｄ２Ｄ通信情報には、例えば、キャリア２でＶ２Ｘデータが送信されることを示す情報が含まれている。
【００４２】
続いて、ユーザ装置ＵＥは、セルラ用キャリアを介して取得したＤ２Ｄ通信情報に基づき、モニタ（監視）すべきＤ２Ｄキャリアを選択する（Ｓ１２）。Ｄ２Ｄ通信情報には、キャリア２でＶ２Ｘデータが送信されることを示す情報が含まれているため、ユーザ装置ＵＥ３は、モニタ（監視）すべきＤ２ＤキャリアとしてＤ２Ｄキャリア２を選択する。続いて、送信側のユーザ装置ＵＥ１又はＵＥ２は、Ｄ２Ｄキャリア２でＤ２Ｄ信号を送信する（Ｓ１３）。受信側のユーザ装置ＵＥ３は、ステップＳ１２で選択したＤ２Ｄキャリア２をモニタすることで、ユーザ装置ＵＥ１又は２から送信されたＤ２Ｄ信号を受信し、Ｄ２Ｄ信号に含まれるＶ２Ｘデータを取得する（Ｓ１４）。
【００４３】
（Ｄ２Ｄ通信情報について）
次に、Ｄ２Ｄ通信情報に含まれる情報について図１２を用いて具体的に説明する。Ｄ２Ｄ通信情報には、少なくとも「１．Ｖ２Ｘデータが送信されるキャリア」（例えば、キャリアＩｎｄｅｘ）が含まれる。これに加えて、Ｄ２Ｄ通信情報には、より詳細な無線リソースを示す情報として、「２．Ｖ２Ｘデータを含むＤ２Ｄ信号が送信されるリソースプール」（例えば、リソースプールＩｎｄｅｘ）が含まれていてもよいし、更に、「３．リソースプール内の具体的なリソース位置」（例えば、サブフレーム番号、サブフレームを示すビットマップなど）が含まれていてもよい。また、「２．Ｖ２Ｘデータを含むＤ２Ｄ信号が送信されるリソースプール」、「３．リソースプール内の具体的なリソース位置」に代えて（又は加えて）、「当該キャリアにおいてＶ２Ｘデータの送信のために割当てられた時間／周波数リソース」を示す情報が含まれていてもよい。
【００４４】
更に、Ｄ２Ｄ通信情報には、Ｖ２Ｘデータの内容に関する情報として、「４．Ｖ２Ｘデータの内容」（例えば、Ｖ２Ｘサービスの名称、Ｖ２Ｘサービスの種別、Ｖ２Ｘサービスを識別するＩＤなど）、「５．Ｖ２Ｘデータの送信元」（例えば、Ｖ２Ｘデータを送信するユーザ装置ＵＥのＩＤ、又は後述するＧ−ＲＮＴＩ（Group-Radio Network Temporary Identity）など）、又は／及び「６．Ｖ２Ｘデータが送信される位置」が含まれていてもよい。
【００４５】
また、Ｄ２Ｄ通信情報には、複数の情報がリスト化されて含まれていてもよい。例えば、Ｄ２Ｄ通信情報には、「１．Ｖ２Ｘデータが送信されるキャリア」と「４．Ｖ２Ｘデータの内容」とをペアとするリストが繰り返し格納されていてもよい。これにより、ユーザ装置ＵＥは、例えば、広域の渋滞情報はＤ２Ｄキャリア１で送信され、交差点付近の詳細な混雑状況はＤ２Ｄキャリア２で送信されるといった情報を把握することが可能になり、広域の渋滞情報を受信したい場合はＤ２Ｄキャリア１を選択し、交差点付近の詳細な混雑情報を受信したい場合はＤ２Ｄキャリア２を選択するといった動作を行うことが可能になる。
【００４６】
（Ｄ２Ｄ通信情報の送信について）
図１１のステップＳ１１の処理手順において、基地局ｅＮＢは、Ｄ２Ｄ通信情報を、報知情報（ＳＩＢ）を用いてユーザ装置ＵＥに送信（配信）するようにしてもよいし、（Ｅ）ＰＤＣＣＨを用いてユーザ装置ＵＥに送信（配信）するようにしてもよい。（Ｅ）ＰＤＣＣＨでＤ２Ｄ通信情報を送信（配信）する場合、基地局ｅＮＢは、共通サーチスペースにＤ２Ｄ通信情報を含むＤＣＩを格納すると共に、当該ＤＣＩのＣＲＣを、各ユーザ装置ＵＥ（Ｖ２Ｘ通信を行うユーザ装置ＵＥ）に共通に設定されるＲＮＴＩ（例えば、Ｇ−ＲＮＴＩでもよい）でマスクする。共通に設定されるＲＮＴＩでＣＲＣがマスクされることで、当該ＲＮＴＩを把握している複数のユーザ装置ＵＥは、Ｄ２Ｄ通信情報を同時に受信することが可能になる。また、共通サーチスペースにＤ２Ｄ通信情報を含むＤＣＩが格納されることで、ユーザ装置ＵＥは、ＲＲＣ  Ｉｄｌｅの状態であっても、Ｄ２Ｄ通信情報を取得することが可能になる。
【００４７】
また、基地局ｅＮＢは、Ｄ２Ｄ通信情報を報知情報で送信する場合と、（Ｅ）ＰＤＣＣＨで送信する場合とでは、Ｄ２Ｄ通信情報に含まれる情報の粒度を変えるようにしてもよい。例えば、報知情報で送信する場合、Ｄ２Ｄ通信情報には「１．Ｖ２Ｘデータが送信されるキャリア」、「２．Ｖ２Ｘデータを含むＤ２Ｄ信号が送信されるリソースプール」及び「４．Ｖ２Ｘデータの内容」のみを含めるようにしておき、（Ｅ）ＰＤＣＣＨで送信する場合は、「１．Ｖ２Ｘデータが送信されるキャリア」、「２．Ｖ２Ｘデータを含むＤ２Ｄ信号が送信されるリソースプール」、「３．リソースプール内の具体的なリソース位置」及び「４．Ｖ２Ｘデータの内容」を含めるようにすることが考えられる。
【００４８】
また、Ｄ２Ｄ通信情報は、上位レイヤのユーザ装置ＵＥ個別シグナリング、例えばＲＲＣシグナリングや交換機ＭＭＥで生成されるＮＡＳメッセージでユーザ装置ＵＥに送信されるようにしてもよい。なお、ＲＲＣシグナリングやＮＡＳメッセージはユーザ装置ＵＥ個別に送信されるメッセージであり、報知情報や（Ｅ）ＰＤＣＣＨにように高頻度で送信されるメッセージではないため、Ｄ２Ｄ通信情報には、例えば、図１２に示す「１．Ｖ２Ｘデータが送信されるキャリア」及び「４．Ｖ２Ｘデータの内容」のみを含めるようにすることが考えられる。ＲＲＣシグナリングやＮＡＳメッセージなど、Ｄ２Ｄ通信情報をユーザ装置ＵＥ個別に送信する場合にはユーザ装置ＵＥが受信を希望するサービス識別子や送信元ＩＤを基地局ｅＮＢやネットワークに報告してもよい。これによってユーザ装置ＵＥの状態に最適化した受信キャリアの切り替えが可能となる。
【００４９】
なお、本実施の形態に係る無線通信システムが複数のセルラ用キャリアを有している場合、Ｄ２Ｄ通信情報の送信が行われるセルラ用キャリアは、報知情報（ＳＩＢ）又はＲＲＣシグナリングを用いて基地局ｅＮＢからユーザ装置ＵＥに予め設定されるようにしてもよいし、ＳＩＭ（Subscriber Identity Module）又はコアネットワーク等を介してユーザ装置ＵＥに事前設定（Pre-Configured）されていてもよい。
【００５０】
（各Ｄ２Ｄキャリアで行われるＤ２Ｄ通信の把握について）
基地局ｅＮＢは、Ｄ２Ｄ通信情報をユーザ装置ＵＥに送信するために、各Ｄ２ＤキャリアでどのようなＤ２Ｄ通信（Ｖ２Ｘの通信）が行われるのかを予め把握している必要がある。そこで、基地局ｅＮＢは、以下の図１３又は図１４に示す方法で、各Ｄ２ＤキャリアでどのようなＤ２Ｄ通信（Ｖ２Ｘの通信）が行われるのかを把握するようにしてもよい。
【００５１】
図１３は、基地局でＤ２Ｄ通信に関する情報を収集する際の処理手順（その１）の一例を示すシーケンス図である。送信側のユーザ装置ＵＥ１又はＵＥ２は、Ｖ２Ｘの通信を行う際に、基地局ｅＮＢにＤ２Ｄ信号の送信に用いる無線リソースを要求する（Ｓ２１）。このとき、送信側のユーザ装置ＵＥ１又はＵＥ２は、基地局ｅＮＢに対して、"どのような目的でＤ２Ｄ信号の送信を行うのかを示す情報（例えば、前述の「４．Ｖ２Ｘデータの内容」など）"を通知するようにする。なお、送信側のユーザ装置ＵＥ１又はＵＥ２は、自身の現在位置も含めて基地局ｅＮＢに通知してもよい。続いて、基地局ｅＮＢは、送信側のユーザ装置ＵＥ１又はＵＥ２から通知された"どのような目的でＤ２Ｄ信号の送信を行うのかを示す情報"を蓄積する（Ｓ２２）。続いて、基地局ｅＮＢは、Ｄ２Ｄ信号の送信に用いる無線リソースを割当てて、割当てた無線リソースを送信側のユーザ装置ＵＥ１又はＵＥ２に通知する（Ｓ２３）。
【００５２】
図１４は、基地局でＤ２Ｄ通信に関する情報を収集する際の処理手順（その２）の一例を示すシーケンス図である。基地局ｅＮＢは、送信側のユーザ装置ＵＥに対して、Ｄ２Ｄ信号を送信する際に、"どのような目的でＤ２Ｄ信号の送信を行うのかを示す情報"又は／及び"Ｄ２Ｄ信号の送信に使用する無線リソース（例えば、「１．Ｖ２Ｘデータが送信されるキャリア」、「２．Ｖ２Ｘデータを含むＤ２Ｄ信号が送信されるリソースプール」又は／及び「３．リソースプール内の具体的なリソース位置」）"を基地局ｅＮＢに報告すべきことを指示する（Ｓ３１）。基地局ｅＮＢは、当該指示を、報知情報又はＲＲＣシグナリングを用いてユーザ装置ＵＥに指示してもよい。なお、ステップＳ３２の処理手順を行うことが予め標準仕様等で決められていてもよい。その場合、ステップＳ３１の処理手順を省略することができる。
【００５３】
続いて、送信側のユーザ装置ＵＥ１又はＵＥ２は、Ｖ２Ｘの通信を行う際に、"どのような目的でＤ２Ｄ信号の送信を行うのかを示す情報"又は／及び"Ｄ２Ｄ信号の送信に使用する無線リソース"を基地局ｅＮＢに報告する（Ｓ３２）。なお、送信側のユーザ装置ＵＥ１又はＵＥ２は、自身の現在位置も含めて基地局ｅＮＢに通知してもよい。基地局ｅＮＢは、ユーザ装置ＵＥから通知された"どのような目的でＤ２Ｄ信号の送信を行うのかを示す情報"又は／及び"Ｄ２Ｄ信号の送信に使用する無線リソース"を蓄積する（Ｓ３３）。
【００５４】
（キャリア切替え処理の変形例について）
図１１を用いて説明した処理手順では、受信側のユーザ装置ＵＥ３は、基地局ｅＮＢから取得したＤ２Ｄ通信情報に基づいてＤ２Ｄキャリアを選択するようにしたが、これに代えて、受信側のユーザ装置ＵＥが自らＤ２Ｄ送信が行われる無線リソースを把握し、把握した無線リソースに基づいてＤ２Ｄキャリアを選択するようにしてもよい。
【００５５】
図１５は、第一の実施の形態に係るキャリアの切替えに係る処理手順（変形例）を示すシーケンス図である。なお、図１５において、ユーザ装置ＵＥ１〜ＵＥ３は、各ユーザ装置ＵＥ（Ｖ２Ｘ通信を行うユーザ装置ＵＥ）に共通に設定されるＲＮＴＩを予め把握している前提とする。
【００５６】
まず、基地局ｅＮＢは、いずれかのＤ２Ｄキャリア（ここではＤ２Ｄキャリア２と仮定）の無線リソースをユーザ装置ＵＥ１又はＵＥ２に割当てると共に、割当てたＤ２Ｄキャリア及び無線リソースを示す情報を、セルラ用キャリアの（Ｅ）ＰＤＣＣＨで送信側のユーザ装置ＵＥ１又はＵＥ２に通知する（Ｓ４１）。このとき、基地局ｅＮＢは、割当てたＤ２Ｄキャリア及び無線リソースを示す情報を含むＤＣＩを、共通サーチスペースに格納すると共に、当該ＤＣＩのＣＲＣを、各ユーザ装置ＵＥ（Ｖ２Ｘ通信を行うユーザ装置ＵＥ）に共通に設定されるＲＮＴＩ（例えば、Ｇ−ＲＮＴＩでもよい）でマスクする。更に、当該ＤＣＩには、無線リソースを割当てるユーザ装置ＵＥを指定するＩＤ（例えば、ユーザ装置ＵＥ１又はＵＥ２のＣ−ＲＮＴＩなど）をＤＣＩに含めるようにする。
【００５７】
ここで、受信側のユーザ装置ＵＥ３は、各ユーザ装置ＵＥに共通に設定されるＲＮＴＩを把握しているため、共通サーチスペースをモニタすることで、基地局ｅＮＢから送信側のユーザ装置ＵＥ１又はＵＥ２に向けて送信されたＤＣＩを取得することができる。これにより、ユーザ装置ＵＥ３は、Ｄ２Ｄキャリア２でＤ２Ｄ信号の送信が行われることを把握することができる。
【００５８】
続いて、受信側のユーザ装置ＵＥ３は、ステップＳ４１で受信したＤＣＩに含まれるＤ２Ｄキャリア２を選択し（Ｓ４２）、選択したＤ２Ｄキャリア２をモニタすることで、Ｄ２Ｄキャリア２でユーザ装置ＵＥ１又はＵＥ２から送信されたＤ２Ｄ信号を受信し、Ｖ２Ｘデータを取得する（Ｓ４３、Ｓ４４）。
【００５９】
なお、図１５において、基地局ｅＮＢは、各Ｄ２Ｄキャリアにおけるリソースプールの構成を示す情報を、予めセルラ用キャリアの報知情報で通知するようにしておき、リソースプール内の具体的な無線リソースを示す情報を、ステップＳ４１の処理手順でユーザ装置ＵＥ１又はＵＥ２に通知するようにしてもよい。
【００６０】
以上、第一の実施の形態について説明した。第一の実施の形態によれば、ユーザ装置ＵＥは、自身が受信したいＶ２Ｘデータが送信されるＤ２Ｄキャリアを選択してＤ２Ｄ信号を受信することが可能になる。
【００６１】
＜第二の実施の形態＞
（概要）
第一の実施の形態では、基地局ｅＮＢからユーザ装置ＵＥに対してＤ２Ｄ通信情報を通知することで、受信側のユーザ装置ＵＥが自らモニタすべきＤ２Ｄキャリアを選択するようにした。一方、第二の実施の形態では、基地局ｅＮＢは、受信側のユーザ装置ＵＥに対して、本無線通信システムに設定されている複数のキャリアのうち、少なくとも１つのキャリアに対してモニタしなくてもよい期間を設定し、当該期間をユーザ装置ＵＥに通知するようにする。また、受信側のユーザ装置ＵＥは、モニタしなくてもよいと通知された期間については、当該期間が設定されたキャリア以外のキャリアを選択してモニタするように動作する。以下、モニタしなくてもよい期間が設定されるキャリア及び設定方法について複数のバリエーションを説明する。
【００６２】
（Ｄ２ＤキャリアにＤＲＸを設定）
図１６は、ユーザ装置ＵＥがモニタしなくてもよい期間として、Ｄ２ＤキャリアにＤＲＸ（Discontinuous Reception）期間を設定する場合を示す図である。図１６（ａ）に示すように、ユーザ装置ＵＥは、ＤＲＸ期間が設定されたＤ２Ｄキャリア２については、Ｏｎ  ｄｕｒａｔｉｏｎ期間に限りＤ２Ｄキャリア２をモニタするように動作し、Ｏｎ  ｄｕｒａｔｉｏｎ期間以外では、ＤＲＸ期間が解除されない限り、Ｄ２Ｄキャリア１をモニタするように動作する。ＤＲＸ期間が解除された場合、ユーザ装置ＵＥは、Ｄ２Ｄキャリア１に代えて、Ｄ２Ｄキャリア２をモニタするように動作する。
【００６３】
なお、ユーザ装置ＵＥは、Ｏｎ  ｄｕｒａｔｉｏｎ期間でＤ２Ｄキャリア２をモニタした際に、他のユーザ装置ＵＥから送信されたＤ２Ｄの制御情報（ＳＣＩ）を受信した場合、ＤＲＸ期間を解除し、Ｄ２Ｄキャリア２を継続してモニタすることでＤ２Ｄ信号（制御情報に対応するデータ）を受信するようにしてもよい。
【００６４】
また、ユーザ装置ＵＥは、Ｏｎ  ｄｕｒａｔｉｏｎ期間でＤ２Ｄキャリア２の受信電力（ＲＳＲＰ：Receiving Signal Receiving Power）を測定し、測定した受信電力が所定の閾値を超えている場合は、ＤＲＸ期間を解除してＤ２Ｄキャリア２をモニタするようにしてもよい。受信電力が所定の閾値より大きい場合、Ｄ２Ｄキャリア２でＤ２Ｄ通信がさかんに行われていることが想定されるため、ユーザ装置ＵＥは、Ｄ２Ｄキャリア２で送信されるＤ２Ｄ信号を積極的にモニタすることで、所望のＶ２Ｘデータを取得できる確率を高めることができる。
【００６５】
また、他の例として、図１６（ｂ）に示すように、ユーザ装置ＵＥは、基本的にＤ２Ｄキャリア１をモニタするように動作し、セルラ用キャリアで受信したシグナリングに基づいて、ＤＲＸ期間を解除するようにしてもよい。例えば、ユーザ装置ＵＥは、セルラ用キャリアの（Ｅ）ＰＤＣＣＨで、Ｄ２Ｄキャリア２でＤ２Ｄ信号の送信が行われることを示す情報を含むＤＣＩを受信した場合に、ＤＲＸ期間を解除してキャリア２をモニタするように動作してもよい。
【００６６】
（Ｄ２ＤキャリアにＧＡＰ期間を設定）
図１７は、ユーザ装置ＵＥがモニタしなくてもよい期間として、Ｄ２ＤキャリアにＧＡＰ期間を設定する場合を示す図である。ユーザ装置ＵＥは、ＧＡＰ期間についてはＤ２Ｄキャリア１をモニタするように動作し、ＧＡＰ期間以外ではＤ２Ｄキャリア１又はＤ２Ｄキャリア２を任意に選択してモニタするように動作する。
【００６７】
なお、基地局ｅＮＢは、当該ＧＡＰ期間を強制的に解除するようにしてもよい。例えば、基地局ｅＮＢは、セルラ用キャリアの（Ｅ）ＰＤＣＣＨを用いて、ＧＡＰ期間の解除（非アクティブ化）及び再設定（アクティブ化）をユーザ装置ＵＥに通知するようにしてもよい。これにより、例えば、基地局ｅＮＢは、Ｄ２Ｄキャリア２のＧＡＰ期間で、Ｖ２Ｘデータの送信が行われることを把握した場合（例えば、送信側のユーザ装置ＵＥからＤ２Ｄキャリア２のリソース割当て要求を受けた場合など）に、ＧＡＰ期間を一時的に解除して受信側のユーザ装置ＵＥにＶ２Ｘデータを取得させるという動作を行うことができる。
【００６８】
なお、基地局ｅＮＢは、ＧＡＰ期間の解除及び再設定に関する情報を含むＤＣＩを、セルラ用キャリアの（Ｅ）ＰＤＣＣＨの共通サーチスペースに格納すると共に、当該ＤＣＩのＣＲＣを、各ユーザ装置ＵＥ（Ｖ２Ｘ通信を行うユーザ装置ＵＥ）に共通に設定されるＲＮＴＩ（例えば、Ｇ−ＲＮＴＩでもよい）でマスクするようにしてもよい。また、ＧＡＰ期間を複数設定し、複数のＧＡＰ期間と複数のＧ−ＲＮＴＩとをそれぞれ対応づけるようにしてもよい。この場合、複数のＧ−ＲＮＴＩの各々を、例えば特定のＶ２Ｘサービスやリソースプールなどと対応づけるようにしてもよい。これにより、特定のＧ−ＲＮＴＩを把握しているユーザ装置ＵＥに対してのみ、ＧＡＰ期間を一時的に解除してＶ２Ｘデータを取得させることが可能になる。
【００６９】
（セルラ用キャリアにＤＲＸを設定）
図１８は、セルラ用キャリアにＤＲＸが設定される場合を示す図である。ユーザ装置ＵＥは、Ｏｎ  ｄｕｒａｔｉｏｎ期間に限りセルラ用キャリアをモニタするように動作し、Ｏｎ  ｄｕｒａｔｉｏｎ期間以外では、ＤＲＸ期間が解除されない限り、セルラ用キャリアをモニタせずにＤ２Ｄキャリア１及びＤ２Ｄキャリア２をモニタするように動作する。ＤＲＸ期間が解除された場合、ユーザ装置ＵＥは、Ｄ２Ｄキャリア１又はＤ２Ｄキャリア２を任意に選択してモニタするように動作する。
【００７０】
図１８の例では、ユーザ装置ＵＥは、Ｏｎ  ｄｕｒａｔｉｏｎ期間でセルラ用キャリアをモニタした際に、セルラ用キャリアで当該ユーザ装置ＵＥ向けのデータが送信されることを示すＤＣＩ（ＤＬ  ａｓｓｉｇｎｍｎｅｔやＵＬグラント）を受信した場合、つまり、従来のＬＴＥで規定されているＤＲＸ解除条件を満たす場合に、ＤＲＸ期間を解除するように動作する。
【００７１】
なお、ユーザ装置ＵＥは、セルラ用キャリアの（Ｅ）ＰＤＣＣＨで、Ｄ２Ｄキャリア１又はＤ２Ｄキャリア２でＤ２Ｄ信号の送信が行われることを示す情報を含むＤＣＩ（例えば、各ユーザ装置ＵＥに共通に設定されるＲＮＴＩでＣＲＣマスクされたＤＣＩ）を受信した場合に、ＤＲＸ期間を解除するようにしてもよい。
【００７２】
（セルラ用キャリアにＧＡＰ期間を設定）
図１９は、ユーザ装置ＵＥがモニタしなくてもよい期間として、セルラ用キャリアにＧＡＰ期間を設定する場合を示す図である。ユーザ装置ＵＥは、ＧＡＰ期間についてはＤ２Ｄキャリア１及びＤ２Ｄキャリア２をモニタするように動作し、ＧＡＰ期間以外ではＤ２Ｄキャリア１又はＤ２Ｄキャリア２を任意に選択してモニタするように動作する。
【００７３】
なお、基地局ｅＮＢは、ＧＡＰ期間以外の期間で、セルラ用キャリアの（Ｅ）ＰＤＣＣＨを用いて、ＧＡＰ期間の解除（非アクティブ化）及び再設定（アクティブ化）をユーザ装置ＵＥに通知するようにしてもよい。これにより、例えば、基地局ｅＮＢは、セルラ用キャリアでセルラ通信を高頻度で行いたい場合や、セルラ用キャリアでＤ２Ｄ通信を許可する場合に、必要に応じて、ＧＡＰ期間を解除してユーザ装置ＵＥにセルラ用キャリアをモニタさせるように指示することが可能になる。
【００７４】
セルラ用キャリアでＤ２Ｄ通信を許可する場合、基地局ｅＮＢは、ＧＡＰ期間の解除及び再設定に関する情報を含むＤＣＩを、セルラ用キャリアの（Ｅ）ＰＤＣＣＨの共通サーチスペースに格納すると共に、当該ＤＣＩのＣＲＣを、各ユーザ装置ＵＥ（Ｖ２Ｘ通信を行うユーザ装置ＵＥ）に共通に設定されるＲＮＴＩ（例えば、Ｇ−ＲＮＴＩでもよい）でマスクするようにしてもよい。また、ＧＡＰ期間を複数設定し、複数のＧＡＰ期間と複数のＧ−ＲＮＴＩとをそれぞれ対応づけるようにしてもよい。この場合、複数のＧ−ＲＮＴＩの各々を、例えば特定のＶ２Ｘサービスやセルラ用キャリアのリソースプールなどと対応づけるようにしてもよい。これにより、Ｇ−ＲＮＴＩを把握している特定のユーザ装置ＵＥに対してのみ、ＧＡＰ期間を一時的に解除してセルラ用キャリアで送信されるＶ２Ｘデータを取得させることが可能になる。
【００７５】
（ＤＲＸ期間又はＧＡＰ期間の通知について）
基地局ｅＮＢは、「ＤＲＸ期間を設定するＤ２Ｄキャリア」及び「ＤＲＸ期間及びＯｎ  ｄｕｒａｔｉｏｎ期間を示す情報」、又は、「ＧＡＰ期間を設定するＤ２Ｄキャリア」及び「ＧＡＰ期間を示す情報」を、セルラ用キャリアの報知情報（ＳＩＢ）を用いて各ユーザ装置ＵＥに通知してもよい。
【００７６】
また、基地局ｅＮＢは、これらの情報が含まれるＤＣＩを、セルラ用キャリアの（Ｅ）ＰＤＣＣＨの共通サーチスペースに格納すると共に、当該ＤＣＩのＣＲＣを、各ユーザ装置ＵＥ（Ｖ２Ｘ通信を行うユーザ装置ＵＥ）に共通に設定されるＲＮＴＩ（例えば、Ｇ−ＲＮＴＩでもよい）でマスクするようにしてもよい。この場合、各ユーザ装置ＵＥ（Ｖ２Ｘ通信を行うユーザ装置ＵＥ）に共通に設定されるＲＮＴＩは、特定のＶ２Ｘサービスに対応づけられていてもよい。これにより特定のＶ２Ｘサービスをサポートするユーザ装置ＵＥのみが、「ＤＲＸ期間を設定するＤ２Ｄキャリア」及び「ＤＲＸ期間及びＯｎ  ｄｕｒａｔｉｏｎ期間を示す情報」、又は、「ＧＡＰ期間を設定するＤ２Ｄキャリア」及び「ＧＡＰ期間を示す情報」を取得することができる。
【００７７】
（ＤＲＸ期間又はＧＡＰ期間の設定単位について）
Ｄ２Ｄキャリアに設定されるＤＲＸ期間又はＧＡＰ期間は、特定のリソースプールに対応づけられていてもよいし、特定のＶ２Ｘサービスに対応づけられていてもよい。これにより、例えば、特定のＶ２Ｘサービスをサポートしない（特定のＶ２ＸサービスのＤ２Ｄ信号を受信する必要がない）ユーザ装置ＵＥは、当該特定のＶ２Ｘサービスに対応づけられているＤＲＸ期間又はＧＡＰ期間では、他のＤ２Ｄキャリアをモニタするように動作することが可能になる。
【００７８】
（第二の実施の形態を用いた運用例について）
ここで、図２０を用いて、第二の実施の形態を用いた運用例を説明する。例えば、主にＤ２Ｄキャリア１を用いて各Ｖ２ＸサービスのＤ２Ｄ信号が送信され、Ｄ２Ｄキャリア２でＤ２Ｄ信号が送信されることが比較的少ないような運用形態を想定する。
【００７９】
まず、図２０（ａ）に示すように、Ｄ２Ｄキャリア２にＤＲＸを設定することが考えられる。これにより、ユーザ装置ＵＥは、主にＤ２Ｄキャリア１をモニタするように動作するため、より多くの各Ｖ２Ｘサービスのデータを取得することができる。
【００８０】
また、送信側のユーザ装置ＵＥは、Ｄ２Ｄキャリア２でサービスＢに関するＤ２Ｄ信号を送信しようとする場合、任意のタイミングでＤ２Ｄ信号を送信するのではなく、Ｏｎ  ｄｕｒａｔｉｏｎ期間で制御信号（ＳＣＩ）を送信するのが望ましい。そうすることで、サービスＢのＤ２Ｄ信号の受信を希望しているユーザ装置ＵＥは、Ｄ２Ｄキャリア１からＤ２Ｄキャリア２をモニタするように切替えることができる。
【００８１】
次に、図２０（ｂ）に示すように、Ｄ２Ｄキャリア２にＧＡＰ期間を設定することが考えられる。これにより、ユーザ装置ＵＥは、ＧＡＰ期間以外ではＤ２Ｄキャリア１をモニタするように動作するため、より多くの各Ｖ２Ｘサービスのデータを取得することができる。
【００８２】
また、送信側のユーザ装置ＵＥは、Ｄ２Ｄキャリア２でサービスＢに関するＤ２Ｄ信号を送信しようとする場合、任意のタイミングでＤ２Ｄ信号を送信するのではなく、ＧＡＰ期間以外でＤ２Ｄ信号を送信するのが望ましい。これにより、サービスＢのＤ２Ｄ信号の受信を希望しているユーザ装置ＵＥに、当該Ｄ２Ｄ信号が届く可能性が高くなる。
【００８３】
また、リソースプールやサブフレームのグループごとに、Ｄ２Ｄ信号を送信可能なサービス・ユーザ装置ＵＥ・対象エリアなどを報知情報や上位レイヤシグナリング（例えばＲＲＣシグナリングやＮＡＳメッセージ）で通知してもよい。受信ユーザ装置ＵＥが自律的にモニタ対象のキャリアを限定できるようになり、上記基地局ｅＮＢからのＤＲＸ期間又はＧＡＰ期間と組み合わせることで効率的な受信キャリアの選択が可能となる。
【００８４】
以上、第二の実施の形態について説明した。第二の実施の形態によれば、ユーザ装置ＵＥは、モニタする必要がないキャリア以外のキャリアを選択してモニタすることが可能になるため、自身が受信したいＶ２Ｘデータが送信されるＤ２Ｄ信号を可能な限り受信することができる。
【００８５】
＜第一の実施の形態及び第二の実施の形態に関する補足＞
第一・第二の実施の形態双方において、複数のキャリアを同時に測定して電力検出することで、実際に各キャリアでＤ２Ｄ信号が送信されているか否かをユーザ装置ＵＥが自律的に検出してもよい。ユーザ装置ＵＥが限定された数の受信機しか備えていない場合でも多数のキャリアの電力検出能力を備えていればこのような動作は可能であり、第一の実施の形態及び第二の実施の形態で説明したＤ２Ｄ信号の受信動作とは独立に電力検出を行うことができる。このような電力検出を第一・第二の実施の形態と組み合わせることで効率的なキャリア切り替えが可能になる。なお、基地局ｅＮＢがこのような端末能力を把握して第一・第二の実施の形態での動作を最適化するために、ユーザ装置ＵＥは基地局ｅＮＢに端末能力を報告してもよい。報告する端末能力とは例えば、複数キャリアでの電力検出能力、電力検出可能なキャリア（バンド）の組み合わせ、電力検出と同時にＤ２Ｄ信号を送信可能なキャリア（バンド）と電力検出可能なキャリア（バンド）の組み合わせ、電力検出可能な総キャリア数（帯域幅）などを指す。電力検出を行う時間リソースは、ユーザ装置ＵＥが任意に決定してもよいし、リソースプールやサブフレームのうち定められた時間リソースでもよい。
【００８６】
＜機能構成＞
以上説明した複数の実施の形態の動作を実行するユーザ装置ＵＥ及び基地局ｅＮＢの機能構成例を説明する。なお、ユーザ装置ＵＥ及び基地局ｅＮＢは、第一の実施の形態に係る方式及び第二の実施の形態に係る方式の全ての機能を備えていてもよいし、いずれか１つの実施の形態に係る方式の機能のみを備えていてもよい。また、いずれの方式を実行するのかを、設定情報（configuration information）により切替えるようにしてもよい。
【００８７】
（ユーザ装置）
図２１は、各実施の形態に係るユーザ装置の機能構成の一例を示す図である。図２１に示すように、ユーザ装置ＵＥは、信号送信部１０１と、信号受信部１０２と、選択部１０３とを有する。なお、図２１は、ユーザ装置ＵＥにおいて本発明の実施の形態に特に関連する機能部のみを示すものであり、少なくともＬＴＥに準拠した動作を行うための図示しない機能も有するものである。また、図２１に示す機能構成は一例に過ぎない。本実施の形態に係る動作を実行できるのであれば、機能区分や機能部の名称はどのようなものでもよい。
【００８８】
信号送信部１０１は、ユーザ装置ＵＥから送信されるべき上位のレイヤの信号から、物理レイヤの各種信号を生成し、無線送信する機能を含む。また、信号送信部１０１は、Ｄ２Ｄ信号の送信機能とセルラ通信の送信機能を有する。また、信号送信部１０１は、複数のキャリアで同時にＤ２Ｄ通信又はセルラ通信を行う機能を有する。信号送信部１０１は、複数の送信部（例えば、第一の送信部及び第二の送信部）から構成されていてもよい。
【００８９】
信号受信部１０２は、他のユーザ装置ＵＥ又は基地局ｅＮＢから各種の信号を無線受信し、受信した物理レイヤの信号からより上位のレイヤの信号を取得する機能を含む。また、信号受信部１０２は、Ｄ２Ｄ信号の受信機能とセルラ通信の受信機能を有する。また、信号受信部１０２は、複数のキャリアで同時にＤ２Ｄ通信又はセルラ通信を行う機能を有する。信号受信部１０２は、複数の受信部（例えば、第一の受信部及び第二の受信部）から構成されていてもよい。
【００９０】
また、信号受信部１０２は、複数のキャリアの各々で行われる通信に関する情報（Ｄ２Ｄ通信情報）を受信する機能を有する。また、信号受信部１０２は、複数のキャリアのうち特定のキャリアに設定される時間方向の所定の期間（例えば、ＤＲＸ期間、Ｏｎ  ｄｕｒａｔｉｏｎ期間又はＧＡＰ期間）を示す情報を受信する機能を有する。
【００９１】
また、信号受信部１０２は、特定のキャリアを監視すべき期間（例えば、Ｏｎ  ｄｕｒａｔｉｏｎ期間）では、特定のキャリアで制御情報が送信されているか否かの監視、又は、特定のキャリアにおける受信電力が所定の閾値以上であるか否かの監視を行うようにしてもよい。
【００９２】
選択部１０３は、信号受信部１０２で受信すべきキャリアを選択し、選択したキャリアで受信動作を行うように信号受信部１０２に指示する。また、選択部１０３は、信号送信部１０１で信号を送信すべきキャリアを選択し、選択したキャリアで送信動作を行うように信号送信部１０１に指示する。
【００９３】
また、選択部１０３は、複数のキャリアの各々で行われる通信に関する情報（Ｄ２Ｄ通信情報）に基づいて、複数のキャリアのうち自身で受信すべきキャリアを選択するようにしてもよい。また、選択部１０３は、複数のキャリアのうち、時間方向の所定の期間（例えば、ＤＲＸ期間、Ｏｎ  ｄｕｒａｔｉｏｎ期間又はＧＡＰ期間）では、複数のキャリアのうち、時間方向の所定の期間が設定される特定のキャリア以外のキャリアを選択するようにしてもよい。
【００９４】
また、選択部１０３は、信号受信部１０２で、特定のキャリアで制御情報（例えばＳＣＩ）が送信されていると判断された場合、又は、特定のキャリアにおける受信電力が所定の閾値以上であると判断された場合に、時間方向の所定の期間（例えば、Ｏｎ  ｄｕｒａｔｉｏｎ期間）が設定される特定のキャリア以外のキャリアに代えて、特定のキャリアで所定の通信を受信するように信号受信部１０２に指示するようにしてもよい。
【００９５】
（基地局）
図２２は、各実施の形態に係る基地局の機能構成の一例を示す図である。図２２に示すように、基地局ｅＮＢは、信号送信部２０１と、信号受信部２０２と、管理部２０３とを有する。なお、図２２は、基地局ｅＮＢにおいて本発明の実施の形態に特に関連する機能部のみを示すものであり、少なくともＬＴＥに準拠した動作を行うための図示しない機能も有するものである。また、図２２に示す機能構成は一例に過ぎない。本実施の形態に係る動作を実行できるのであれば、機能区分や機能部の名称はどのようなものでもよい。
【００９６】
信号送信部２０１は、基地局ｅＮＢから送信されるべき上位のレイヤの信号から、物理レイヤの各種信号を生成し、無線送信する機能を含む。信号受信部２０２は、ユーザ装置ＵＥから各種の信号を無線受信し、受信した物理レイヤの信号からより上位のレイヤの信号を取得する機能を含む。
【００９７】
管理部２０３は、各Ｄ２Ｄキャリアで行われるＤ２Ｄ通信を把握する機能、各Ｄ２ＤキャリアにおけるＤ２Ｄ通信用の無線リソースを割当てる機能、割当てた無線リソースを、信号送信部２０１を介してユーザ装置ＵＥに通知する機能を含む。また、管理部２０３は、必要に応じて、各キャリアにＤＲＸ期間（Ｏｎ  ｄｕｒａｔｉｏｎ期間を含む）又はＧＡＰ期間を設定すると共に、各キャリアに設定したＤＲＸ期間（Ｏｎ  ｄｕｒａｔｉｏｎ期間を含む）又はＧＡＰ期間のタイミングを、信号送信部２０５を介してユーザ装置ＵＥに通知する機能を含む。
【００９８】
以上説明した基地局ｅＮＢ及びユーザ装置ＵＥの機能構成は、全体をハードウェア回路（例えば、１つ又は複数のＩＣチップ）で実現してもよいし、一部をハードウェア回路で構成し、その他の部分をＣＰＵとプログラムとで実現してもよい。
【００９９】
（ユーザ装置）
図２３は、各実施の形態に係るユーザ装置のハードウェア構成の一例を示す図である。図２３は、図２１よりも実装例に近い構成を示している。図２３に示すように、ユーザ装置ＵＥは、無線信号に関する処理を行うＲＦ（Radio Frequency）モジュール３０１と、ベースバンド信号処理を行うＢＢ（Base Band）処理モジュール３０２と、上位レイヤ等の処理を行うＵＥ制御モジュール３０３とを有する。
【０１００】
ＲＦモジュール３０１は、ＢＢ処理モジュール３０２から受信したデジタルベースバンド信号に対して、Ｄ／Ａ（Digital-to-Analog）変換、変調、周波数変換、及び電力増幅等を行うことでアンテナから送信すべき無線信号を生成する。また、受信した無線信号に対して、周波数変換、Ａ／Ｄ（Analog to Digital）変換、復調等を行うことでデジタルベースバンド信号を生成し、ＢＢ処理モジュール３０２に渡す。ＲＦモジュール３０１は、例えば、図２１の信号送信部１０１及び信号受信部１０２の一部を含む。
【０１０１】
ＢＢ処理モジュール３０２は、ＩＰパケットとデジタルベースバンド信号とを相互に変換する処理を行う。ＤＳＰ（Digital Signal Processor）３１２は、ＢＢ処理モジュール３０２における信号処理を行うプロセッサである。メモリ３２２は、ＤＳＰ３１２のワークエリアとして使用される。ＲＦモジュール３０１は、例えば、図２１の信号送信部１０１の一部、信号受信部１０２の一部及び選択部１０３の一部を含む。
【０１０２】
ＵＥ制御モジュール３０３は、ＩＰレイヤのプロトコル処理、各種アプリケーションの処理等を行う。プロセッサ３１３は、ＵＥ制御モジュール３０３が行う処理を行うプロセッサである。メモリ３２３は、プロセッサ３１３のワークエリアとして使用される。ＵＥ制御モジュール３０３は、例えば、図２１の選択部１０３の一部を含む。
【０１０３】
（基地局）
図２４は、各実施の形態に係る基地局のハードウェア構成の一例を示す図である。図２４は、図２２よりも実装例に近い構成を示している。図２２に示すように、基地局ｅＮＢは、無線信号に関する処理を行うＲＦモジュール４０１と、ベースバンド信号処理を行うＢＢ処理モジュール４０２と、上位レイヤ等の処理を行う装置制御モジュール４０３と、ネットワークと接続するためのインタフェースである通信ＩＦ４０４とを有する。
【０１０４】
ＲＦモジュール４０１は、ＢＢ処理モジュール４０２から受信したデジタルベースバンド信号に対して、Ｄ／Ａ変換、変調、周波数変換、及び電力増幅等を行うことでアンテナから送信すべき無線信号を生成する。また、受信した無線信号に対して、周波数変換、Ａ／Ｄ変換、復調等を行うことでデジタルベースバンド信号を生成し、ＢＢ処理モジュール４０２に渡す。ＲＦモジュール４０１は、例えば、図２２に示す信号送信部２０１及び信号受信部２０２の一部を含む。
【０１０５】
ＢＢ処理モジュール４０２は、ＩＰパケットとデジタルベースバンド信号とを相互に変換する処理を行う。ＤＳＰ４１２は、ＢＢ処理モジュール４０２における信号処理を行うプロセッサである。メモリ４２２は、ＤＳＰ４１２のワークエリアとして使用される。ＢＢ処理モジュール４０２は、例えば、図２２に示す信号送信部２０１の一部、信号受信部２０２の一部及び管理部２０３の一部を含む。
【０１０６】
装置制御モジュール４０３は、ＩＰレイヤのプロトコル処理、ＯＡＭ（Operation and Maintenance）処理等を行う。プロセッサ４１３は、装置制御モジュール４０３が行う処理を行うプロセッサである。メモリ４２３は、プロセッサ４１３のワークエリアとして使用される。補助記憶装置４３３は、例えばＨＤＤ等であり、基地局ｅＮＢ自身が動作するための各種設定情報等が格納される。装置制御モジュール４０３は、例えば、図２２に示す管理部２０３の一部を含む。
【０１０７】
＜まとめ＞
以上、実施の形態によれば、基地局とユーザ装置との間で通信を行う無線通信システムにおけるユーザ装置であって、前記基地局から、複数のキャリアの各々で行われる通信に関する情報を受信する第一の受信部と、前記複数のキャリアの各々で行われる通信に関する情報に基づいて、前記複数のキャリアのうち当該ユーザ装置で受信すべきキャリアを選択する選択部と、前記選択部で選択されたキャリアで所定の通信を受信する第二の受信部と、を有するユーザ装置が提供される。これにより、ユーザ装置で通信に用いるキャリアを適切に切替えることが可能な技術が提供される。
【０１０８】
また、前記第一の受信部は、下りリンクに用いられるキャリアを介して、前記複数のキャリアの各々で行われる通信に関する情報を受信し、前記複数のキャリアは、Ｄ２Ｄ通信に用いられるキャリアであるようにしてもよい。これにより、ユーザ装置ＵＥは、セルラ通信に用いられるセルラ用キャリアをモニタ（監視）することで、Ｄ２Ｄ通信情報を取得することができる。
【０１０９】
また、前記複数のキャリアの各々で行われる通信に関する情報には、前記複数のキャリアの各々でＤ２Ｄ信号が送信される無線リソースを示す情報、該Ｄ２Ｄ信号を送信する端末に関する情報、及び、該Ｄ２Ｄ信号に対応するサービスを示す情報のうち少なくとも１つ以上を含むようにしてもよい。これにより、Ｄ２Ｄ通信情報には、Ｄ２Ｄ通信に関する様々な情報を格納することができ、例えば、ユーザ装置ＵＥは、自身が希望する特定のサービスに対応する特定のキャリアをモニタするといった動作を実現することが可能になる。また、これにより、全てのキャリアを同時に受信可能な能力を有していないユーザ装置ＵＥであっても、自身が希望するＶ２Ｘサービスに関するデータを取得することが可能になる。
【０１１０】
また、前記複数のキャリアの各々で行われる通信に関する情報は、下り制御情報、ＲＲＣメッセージ又はＮＡＳメッセージに含まれるようにしてもよい。これにより、ユーザ装置ＵＥは、様々な方法でＤ２Ｄ通信情報を取得することができる。
【０１１１】
また、実施の形態によれば、基地局とユーザ装置との間で通信を行う無線通信システムにおけるユーザ装置であって、前記基地局から、複数のキャリアのうち特定のキャリアに設定される時間方向の所定の期間を示す情報を受信する第一の受信部と、前記複数のキャリアのうち、前記時間方向の所定の期間では、前記複数のキャリアのうち、前記時間方向の所定の期間が設定される特定のキャリア以外のキャリアを選択する選択部と、前記選択部で選択されたキャリアで所定の通信を受信する第二の受信部と、を有するユーザ装置が提供される。これにより、ユーザ装置で通信に用いるキャリアを適切に切替えることが可能な技術が提供される。
【０１１２】
また、前記第一の受信部は、下りリンクに用いられるキャリアを介して、前記複数のキャリアのうち特定のキャリアに設定される時間方向の所定の期間を示す情報を受信し、前記特定のキャリアは、Ｄ２Ｄ通信に用いられるキャリアであるようにしてもよい。これにより、ユーザ装置ＵＥは、セルラ通信に用いられるセルラ用キャリアをモニタ（監視）することで、Ｄ２Ｄ通信情報を取得することができる。
【０１１３】
また、前記特定のキャリアに設定される時間方向の所定の期間を示す情報には、所定の周期で前記特定のキャリアを監視すべき期間を示す情報を含み、前記第二の受信部は、前記特定のキャリアを監視すべき期間では、前記特定のキャリアで制御情報が送信されているか否かの監視、又は、前記特定のキャリアにおける受信電力が所定の閾値以上であるか否かの監視を行い、前記選択部は、前記第二の受信部で、前記特定のキャリアで制御情報が送信されていると判断された場合、又は、前記特定のキャリアにおける受信電力が所定の閾値以上であると判断された場合に、前記時間方向の所定の期間が設定される特定のキャリア以外のキャリアに代えて、前記特定のキャリアで所定の通信を受信するように前記第二の受信部に指示するようにしてもよい。これにより、ユーザ装置ＵＥは、ＤＲＸが設定されたＤ２ＤキャリアでＤ２Ｄ信号が送信されることを検出することが出来ると共に、ＤＲＸ状態を解除することで当該特定のキャリアで送信されるＤ２Ｄ信号（Ｖ２Ｘのデータ）を受信することが可能になる。
【０１１４】
また、実施の形態によれば、基地局とユーザ装置との間で通信を行う無線通信システムにおけるユーザ装置が実行する受信方法であって、前記基地局から、複数のキャリアの各々で行われる通信に関する情報を受信するステップと、前記複数のキャリアの各々で行われる通信に関する情報に基づいて、前記複数のキャリアのうち当該ユーザ装置で受信すべきキャリアを選択するステップと、選択されたキャリアで所定の通信を受信するステップと、を有する受信方法が提供される。この受信方法により、ユーザ装置で通信に用いるキャリアを適切に切替えることが可能な技術が提供される。
【０１１５】
また、実施の形態によれば、基地局とユーザ装置との間で通信を行う無線通信システムにおけるユーザ装置が実行する受信方法であって、前記基地局から、複数のキャリアのうち特定のキャリアに設定される時間方向の所定の期間を示す情報を受信するステップと、前記複数のキャリアのうち、前記時間方向の所定の期間では、前記複数のキャリアのうち、前記時間方向の所定の期間が設定される特定のキャリア以外のキャリアを選択するステップと、選択されたキャリアで所定の通信を受信するステップと、を有する受信方法が提供される。この受信方法により、ユーザ装置で通信に用いるキャリアを適切に切替えることが可能な技術が提供される。
【０１１６】
＜実施形態の補足＞
各実施の形態は任意に組み合わせることが可能である。つまり、第一の実施の形態と第二の実施の形態とが組み合わされてもよい。
【０１１７】
ＰＳＣＣＨは、Ｄ２Ｄ通信に用いられる制御情報（ＳＣＩ等）を送信するための制御チャネルであれば他の制御チャネルであってもよい。ＰＳＳＣＨは、Ｄ２ＤコミュニケーションのＤ２Ｄ通信に用いられるデータ（ＭＡＣ  ＰＤＵ等）を送信するためのデータチャネルであれば他のデータチャネルであってもよい。ＰＳＤＣＨは、Ｄ２ＤディスカバリのＤ２Ｄ通信に用いられるデータ（ディスカバリメッセージ等）を送信するためのデータチャネルであれば他のデータチャネルであってもよい。
【０１１８】
以上、本発明の実施の形態で説明する各装置（ユーザ装置ＵＥ／基地局ｅＮＢ）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【０１１９】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、ユーザ装置ＵＥ／基地局ｅＮＢは機能的なブロック図を用いて説明されたが、そのような装置はハードウェアで、ソフトウェアで又はそれらの組み合わせで実現されてもよい。本発明の実施の形態に従ってユーザ装置ＵＥが有するプロセッサにより動作するソフトウェア及び本発明の実施の形態に従って基地局ｅＮＢが有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【０１２０】
なお、各実施の形態において、Ｄ２Ｄ通信情報は、「複数のキャリアの各々で行われる通信に関する情報」の一例である。Ｄ２Ｄ通信は、所定の通信の一例である。
【０１２１】
「２．Ｖ２Ｘデータを含むＤ２Ｄ信号が送信されるリソースプール」、「３．リソースプール内の具体的なリソース位置」又は「３．リソースプール内の具体的なリソース位置」は、「複数のキャリアの各々でＤ２Ｄ信号が送信される無線リソースを示す情報」の一例である。「５．Ｖ２Ｘデータの送信元」は、「Ｄ２Ｄ信号を送信する端末に関する情報」の一例である。「４．Ｖ２Ｘデータの内容」は、「Ｄ２Ｄ信号に対応するサービスを示す情報」の一例である。ＤＲＸ期間又はＧＡＰ期間は、「特定のキャリアに設定される時間方向の所定の期間」の一例である。Ｏｎ  ｄｕｒａｔｉｏｎ期間は、「所定の周期で前記特定のキャリアを監視すべき期間」の一例である。
【０１２２】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣシグナリング、ＭＡＣシグナリング、ブロードキャスト情報（ＭＩＢ（Master  Information  Block）、ＳＩＢ（System  Information  Block）））、その他の信号又はこれらの組み合わせによって実施されてもよい。また、ＲＲＣメッセージは、ＲＲＣシグナリングと呼ばれてもよい。また、ＲＲＣメッセージは、例えば、ＲＲＣ接続セットアップ（RRC Connection Setup）メッセージ、ＲＲＣ接続再構成（RRC Connection Reconfiguration）メッセージなどであってもよい。
【０１２３】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１２４】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１２５】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１２６】
ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１２７】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１２８】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１２９】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３０】
また、本明細書で説明した各態様／実施形態の処理手順、シーケンスなどは、矛盾の無い限り、順序を入れ替えてもよい。例えば、本明細書で説明した方法については、例示的な順序で様々なステップの要素を提示しており、提示した特定の順序に限定されない。
【０１３１】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１３２】
所定の情報の通知（例えば、「Ｘであること」の通知）は、明示的に行うものに限られず、暗黙的（例えば、当該所定の情報の通知を行わない）ことによって行われてもよい。
【０１３３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３４】
本発明は上記実施形態に限定されず、本発明の精神から逸脱することなく、様々な変形例、修正例、代替例、置換例等が本発明に包含される。
【０１３５】
本特許出願は２０１６年２月４日に出願した日本国特許出願第２０１６−０２０３２８号に基づきその優先権を主張するものであり、日本国特許出願第２０１６−０２０３２８号の全内容を本願に援用する。
【符号の説明】
【０１３６】
ＵＥ  ユーザ装置
ｅＮＢ  基地局
１０１  信号送信部
１０２  信号受信部
１０３  選択部
２０１  信号送信部
２０２  信号受信部
２０３  管理部
３０１  ＲＦモジュール
３０２  ＢＢ処理モジュール
３０３  ＵＥ制御モジュール
３０４  通信ＩＦ
４０１  ＲＦモジュール
４０２  ＢＢ処理モジュール
４０３  装置制御モジュール
【図１】
2017135428.tif 000003
【図２】
2017135428.tif 000004
【図３】
2017135428.tif 000005
【図４】
2017135428.tif 000006
【図５】
2017135428.tif 000007
【図６】
2017135428.tif 000008
【図７】
2017135428.tif 000009
【図８】
2017135428.tif 000010
【図９】
2017135428.tif 000011
【図１０】
2017135428.tif 000012
【図１１】
2017135428.tif 000013
【図１２】
2017135428.tif 000014
【図１３】
2017135428.tif 000015
【図１４】
2017135428.tif 000016
【図１５】
2017135428.tif 000017
【図１６】
2017135428.tif 000018
【図１７】
2017135428.tif 000019
【図１８】
2017135428.tif 000020
【図１９】
2017135428.tif 000021
【図２０】
2017135428.tif 000022
【図２１】
2017135428.tif 000023
【図２２】
2017135428.tif 000024
【図２３】
2017135428.tif 000025
【図２４】
2017135428.tif 000026
【国際調査報告】
2017135428.tif 000027
2017135428.tif 000028
2017135428.tif 000029
2017135428.tif 000030